(57)【要約】【課題】電気洗濯機の電磁騒音低減のために、水が溜まらない消音器を提供することにある。【解決手段】電気洗濯機１の洗濯兼脱水槽６および攪拌翼９を駆動するモータ１７の冷却用孔１８の近傍に消音器２２を配設し、前記消音器２２の水平部分に傾斜部２３ａ，２３ｂを設けることにより、消音器内に水を溜めることなく、電磁騒音を低減することができる。【選択図】図２
2008006122.tif 000002
【特許請求の範囲】
【請求項１】
外枠と、前記外枠に弾性支持され水を保持する外槽と、前記外槽に回転自在に内置される洗濯兼脱水槽と、前記洗濯兼脱水槽の底面に備えられる攪拌翼と、前記外槽の下方に設けられ前記洗濯兼脱水槽および前記攪拌翼を駆動する駆動装置とを備え、前記駆動装置がモータと前記攪拌翼に伝わる前記モータの回転を減速する減速機とを備えた洗濯機において、前記モータの冷却用孔の近傍に消音器を配設したことを特徴とする電気洗濯機。
【請求項２】
前記消音器内に水が溜まらないように水平部分に傾斜を設けたことを特徴とする請求項１に記載の電気洗濯機。
【発明の詳細な説明】
【技術分野】
【０００１】
本発明は電気洗濯機の駆動用モータの騒音低減に関するものである。
【背景技術】
【０００２】
一般的な撹拌式の電気洗濯機は、外枠と、この外枠内に防振機構を介して吊り下げるように設けた洗濯水を溜める外槽と、この外槽内に回転可能に設けた縦型の洗濯兼脱水槽である内槽と、前記内槽内の底部に位置させて回転可能に設けた回転翼と、前記内槽および回転翼を選択的に回転駆動するモータと減速機からなる駆動機構と、前記外槽または内槽内に洗濯水を給水する給水機構と、前記外槽内の洗濯水を排水する排水機構と、前記外槽内の洗濯水の水位を検出する洗濯水位検出手段とを備える。
【０００３】
このモータは、固定子鉄心と回転子鉄心の間に働く電磁力により固定子が振動して騒音となる電磁騒音や、モータのコイルに印加するＰＷＭ信号のキャリア成分により固定子が振動して騒音となる電磁騒音が発生し、冷却用孔から外部に漏れる。この外部に漏れる騒音対策として、排気口に消音器を配設する例として特許文献１が挙げられる。
【０００４】
【特許文献１】特開平７−７８８４号公報
【発明の開示】
【発明が解決しようとする課題】
【０００５】
特許文献１に開示されている消音装置は、一般のモータに適応した消音器の例であり、モータの排気口に空洞型消音器を配設した構成となっている。しかし、水を使用する洗濯機特有の結露等については考慮しておらず、消音器内に浸入した水を排出することについては配慮されていない。
【課題を解決するための手段】
【０００６】
本発明は、上記の課題を解決するための、外枠と、前記外枠に弾性支持され水を保持する外槽と、前記外槽に回転自在に内置される洗濯兼脱水槽と、前記洗濯兼脱水槽の底面に備えられる攪拌翼と、前記外槽の下方にもうけられ前記洗濯兼脱水槽および前記攪拌翼を駆動する駆動装置を備え、前記駆動装置がモータと前記攪拌翼に伝わる前記モータの回転を減速する減速機とを備えた洗濯機において、前記モータの冷却用孔等の近傍に消音器を配設し、前記消音器内に水が溜まらないように水平部分に傾斜を設けている。
【発明の効果】
【０００７】
本発明によれば、消音器内に水を溜めることなく、モータの電磁騒音を小さくすることができる。
【発明を実施するための最良の形態】
【０００８】
以下本発明の実施の形態について図を参照して説明する。
【０００９】
図１は本発明の一実施例の消音器２２を配置した洗濯機１の縦断面図であり、一般的な洗濯機１の基本構成要素のみについて記載し、その他の要素例えば操作スイッチ等は省略し図示していない。
【００１０】
その主要構成は、外枠３と、この外枠３の上部に配置され操作部や給水関係の部品等を内挿しているトップカバー２，外枠３に防振機構１３を介して弾性支持されている合成樹脂製の外槽４，この外槽４に内装され攪拌翼９を内装し不つり合いをキャンセルするための流体バランサー５を装着するＳＵＳ製の洗濯兼脱水槽６，この洗濯兼脱水槽６を脱水軸１２に支持しているアルミ製のフランジ７，このフランジ７を支え洗濯軸１１と内外２重構造を構成する脱水軸１２，洗濯軸１１を駆動するときにモータ１７からの入力を歯車にて減速する減速機構１０，この減速機構１０と同一軸上に設けられたモータ１７，この減速機構１０，モータ１７を支持し外槽４に保持されている取付板８である。
【００１１】
前記モータ１７は洗濯時には減速機構１０を介し洗濯軸１１をへて撹拌翼９のみを回転させ、脱水時には脱水軸１２をへて洗濯兼脱水槽６および攪拌翼９をともに高速回転する。輸送用金具１４は、運搬時に搬送用ダンボールに固定され、外槽４の下部が外枠３に衝突することを防止するものである。
【００１２】
洗濯，脱水時等各運転時にモータ１７が回転するときに、電磁騒音が発生する。この発生原因は、主に固定子鉄心１９と回転子鉄心２０の間に働く電磁力により固定子鉄心１９が振動して騒音となる電磁騒音や、モータ１７のコイルに印加するＰＷＭ信号のキャリア成分によりモータ１７が振動して騒音となる電磁騒音が発生し、その発生した電磁音は冷却用孔１８等からモータ１７の外部に漏れ、電磁騒音が聞こえる。その低減方法として、消音器２２を設ける方法がある。
【００１３】
しかし、洗濯機１は洗濯時に水を使用するため、使用する水の温度が低く外気温度が高いと、水を溜める外槽４や取付板８等が結露し、取付板８から水滴が垂れたり、減速機構１０の周囲を伝わって水が下に流れていく。そのときに消音器２２内に水が流れ込んでしまうと、水が溜まった状態のまま放置されることになり、水が腐り異臭が発生したり、カビが発生することが考えられる。そこで、消音器２２の水平部分に傾斜部２３を設けることにより、消音器２２内に水が溜まらないようにすることができる。
【実施例１】
【００１４】
以下、本発明の一実施の形態について、図２および図３を参照しながら説明する。この実施例は、拡張型消音器２２をモータ１７の上下に配設した例である。一般的に拡張型消音器とは、音が流れる配管の径を一部分大きくすることにより、音が干渉し騒音を低減するものである。
【００１５】
この実施例の消音器２２は、輸送用金具１４に固定する構造になっており、上下および側面の冷却用孔２９ａ，２９ｂ，２９ｃ，２９ｄより漏れ出た電磁騒音を低減するように、モータ１７の上部および下部に拡張型消音器を有している。この消音器２２で水が溜まる可能性のある、拡張部分の下面の面を傾斜させる構成（２３ａ，２３ｂ）にすることにより、消音器２２内に水が溜まることを防止できる。
【実施例２】
【００１６】
次に、本発明の他の実施形態について、図４および図５を参照しながら説明する。この実施例は、孔あき構造体を利用した空洞共鳴型消音器２４をモータ１７の上下および側面全体に配設した例である。一般的に孔あき構造体を利用した空洞共鳴型消音器とは、孔を有さない構造体と孔を有する構造体とその間に空気層を有する構造であり、孔と空気層による共鳴現象により騒音を低減するものである。
【００１７】
この実施例の消音器２４は、輸送用金具１４に固定する構造になっており、上下および側面の冷却用孔２９ａ，２９ｂ，２９ｃ，２９ｄより漏れ出た電磁騒音を低減するように、モータ１７の上下部および側面に空洞共鳴型消音器を有している。この消音器２４で水が溜まる可能性のある、内側ケース２６と外側ケース２５の間の空気層２８を閉塞する下側の閉塞部材２７ｂの水平面を傾斜させて傾斜部３０を設け、一番下の孔部２９の最下端部を閉塞部材２７の傾斜面に合わせた構成にすることにより、消音器２４内に水が溜まることを防止できる。
【００１８】
また、本実施例以外の消音器でも、本発明と同様に水平部分に傾斜等を設ける構成にすることにより、消音器内に水が溜まることを防止できる。
【図面の簡単な説明】
【００１９】
【図１】本発明の実施例１の電気洗濯機を縦断した状態で示す側面の模式図である。
【図２】実施例１の電気洗濯機におけるモータ周りの拡大図である。
【図３】実施例１の消音器の傾斜部分を説明する拡大図である。
【図４】実施例２の電気洗濯機におけるモータ周りの拡大図である。
【図５】実施例２の消音器の傾斜部分を説明する拡大図である。
【符号の説明】
【００２０】
１…電気洗濯機、２…トップカバー、３…外枠、４…外槽、５…流体バランサー、６…洗濯兼脱水槽、７…フランジ、８…取付板、９…攪拌翼、１０…減速機構、１１…洗濯軸、１２…脱水軸、１３…防振機構、１４…輸送用金具、１５…給水機構、１６…排水機構、１７…モータ、１８ａ，１８ｂ，１８ｃ，１８ｄ…冷却用孔、１９…固定子鉄心、２０…回転子鉄心、２１…回転子マグネット、２２…実施例１の消音器、２３ａ，２３ｂ，
３０…傾斜部、２４…消音器、２５…外側ケース、２６…内側ケース、２７ａ，２７ｂ…閉塞部材、２８…空気層、２９…冷却用孔。
【図１】
2008006122.tif 000003
【図２】
2008006122.tif 000004
【図３】
2008006122.tif 000005
【図４】
2008006122.tif 000006
【図５】
2008006122.tif 000007